(57)【要約】  直立向き及びひっくり返した向きで用いるための飲用容器が提供される。容器は、マウスピース部と、マウスピース部に流体接続される導管部とを含む。導管部は、容器が実質的に直立向きであるときに液体が通ってマウスピース部へ引き出され得る下端開口を有する。容器は、マウスピース部に流体接続される中間入口をさらに含む。中間入口は、下端開口及びマウスピース部の中間に配置される。容器は、容器の向きに応じて中間入口からマウスピース部への流れを制御するように動作可能な流量コントローラをさらに含む。飲用容器用の蓋部及び飲用導管も特許請求される。【選択図】図３
2010521388.tif 000002
【特許請求の範囲】
【請求項１】
飲用容器用の蓋部であって、
マウスピース部と、
前記マウスピース部に流体接続される導管部であって、液体が通過して前記マウスピース部へ引き出され得る遠位開口を有する導管部と、
前記マウスピース部に流体接続される中間入口であって、前記遠位開口と前記マウスピース部との中間に配置される中間入口と、
前記容器の向きに応じて、前記中間入口から前記マウスピース部への流れを制御するように動作可能な流量コントローラと、
を備える飲用容器用の蓋部。
【請求項２】
前記中間入口は前記導管部に配置される請求項１に記載の蓋部。
【請求項３】
不用意にこぼれるのを最小限に抑えるように前記マウスピース部に関連する自動閉鎖弁をさらに含む、請求項１又は２に記載の蓋部。
【請求項４】
前記マウスピース部は、機械的作用下で変形可能なスパウトの形をとっており、前記弁は、前記マウスピース部に組み込まれた噛みことにより作動するスリット弁の形をとっている請求項１〜３のいずれか１項に記載の蓋部。
【請求項５】
前記マウスピース部及び前記蓋部は一体型である請求項１〜４のいずれか１項に記載の蓋部。
【請求項６】
前記導管部は、前記マウスピース部の下側と噛み合いにより係合可能であるとともに、前記マウスピース部から分離可能である請求項１〜５のいずれか１項に記載の蓋部。
【請求項７】
前記導管部は、製造又は洗浄を容易にするように分離可能である２つ以上の管状部分からなる請求項１〜６のいずれか１項に記載の蓋部。
【請求項８】
前記流量コントローラは、弁部材を含み、前記弁部材の位置は、前記弁部材が弁座に着座して前記中間入口を閉じる閉鎖位置と、前記弁部材が前記中間入口から離間している開放位置との間で可動であって、前記弁部材の位置は、前記容器の向きに応じて決まる請求項１〜７のいずれか１項に記載の蓋部。
【請求項９】
前記容器の直立向きで、前記弁部材は重力の作用下で前記弁座に載る請求項８に記載の蓋部。
【請求項１０】
前記弁部材は、１よりも大きい比重を有する請求項９又は１０に記載の蓋部。
【請求項１１】
前記弁部材が前記容器内の液体流の作用に応じるように、前記弁部材の少なくとも一部が前記中間入口の外部に配置される請求項８〜１０のいずれか１項に記載の蓋部。
【請求項１２】
前記導管部は主要部を含み、前記中間入口は、前記導管部の前記主要部を囲む１つ又は複数の湾曲状又は実質的に環状の開口の形をとっており、前記弁部材は、湾曲状又はリング状である請求項８〜１１のいずれか１項に記載の蓋部。
【請求項１３】
前記導管部は主要部及び分岐部を含み、前記中間入口は、前記分岐部の端に形成され、前記弁部材は、前記中間入口を閉じるように前記弁座に着座するフラップの形をとっている請求項８〜１１のいずれか１項に記載の蓋部。
【請求項１４】
前記弁部材は、前記閉鎖位置に戻るのを助けるようにばね記憶特性を有するエラストマー材料から形成される請求項１３に記載の蓋部。
【請求項１５】
前記蓋部は開口をさらに含み、前記導管部の上端が、前記開口を通して突出して前記マウスピース部を画定する請求項１、２、７〜１４のいずれか１項に記載の蓋部。
【請求項１６】
前記導管部の上端は、折り曲げるか又は回転させることによって閉鎖される弾性のマウスピース部の形をとっている請求項１５に記載の蓋部。
【請求項１７】
請求項１〜１６のいずれか１項に記載の蓋部を含む飲用容器。
【請求項１８】
前記飲用容器は、上面開口を有する収容体部をさらに含み、前記蓋部は、前記上面開口を閉じ、且つ、前記収容体部から分離可能であるか又は前記収容体部にヒンジ接続される請求項１７に記載の飲用容器。
【請求項１９】
液体が取り出されるときに前記飲用容器に空気が入るのを許す空気入口をさらに含む請求項１７又は１８に記載の飲用容器。
【請求項２０】
液体の吸い上げ用の第１の端と、マウスピースとしての役割を果たす第２の端とを含む２つの端を有する飲用導管であって、前記第１の端及び前記第２の端の中間に配置される中間入口、及び前記飲用導管の向きに応じて前記中間入口から前記第２の端への流れを制御するように動作可能な流量コントローラが設けられる飲用導管。
【請求項２１】
製造又は洗浄を容易にするように分離可能である２つ以上の管状部分からなる請求項２０に記載の飲用導管。
【請求項２２】
前記流量コントローラは、弁部材を含み、前記弁部材の位置は、前記弁部材が弁座に着座して前記中間入口を閉じる閉鎖位置と、前記弁部材が前記中間入口から離間している開放位置との間で可動であって、前記弁部材の位置は、前記導管の向きに応じて決まる請求項２０又は２１に記載の飲用導管。
【請求項２３】
前記弁部材は重力の作用下で前記弁座に載る請求項２２に記載の飲用導管。
【請求項２４】
前記弁部材は１よりも大きい比重を有する請求項２２又は２３に記載の飲用導管。
【請求項２５】
前記弁部材は、前記弁部材を通る液体流の作用に応じるように、少なくとも一部を前記中間入口の外部に有するように配置される請求項２２〜２４のいずれか１項に記載の飲用導管。
【請求項２６】
前記導管部は、主要部を含み、前記中間入口は、１つ又は複数の湾曲状又は実質的に環状の開口の形態であり、前記弁部材は、湾曲状又はリング状である請求項２２〜２５のいずれか１項に記載の飲用導管。
【請求項２７】
前記導管部は、主要部及び分岐部を含み、前記中間入口は、前記分岐部の端に形成され、前記弁部材は、前記中間入口を閉じるように前記弁座に着座するフラップの形態である請求項２２〜２５のいずれか１項に記載の飲用導管。
【請求項２８】
前記弁部材は、前記閉鎖位置に戻るのを助けるようにばね記憶特性を有するエラストマー材料から形成される請求項２８に記載の飲用容器。
【発明の詳細な説明】
【技術分野】
【０００１】
本発明は、飲用容器に関する。特に、限定はされないが、本発明は、哺乳瓶を卒業したが中身をこぼす危険なく蓋なしのカップから上手に飲むことがまだできない幼児が用いるのに手ごろなトレーニングカップに関する。本発明はまた、こぼれる危険が高い旅行の状況にも適用され得る。本発明はまた、高齢者、身体障害者、又は虚弱者が用いるのにも適し得る。本発明はまた、健常者用の飲用容器にも関する。
【背景技術】
【０００２】
使用者が蓋なしのカップを自身の口まで持ち上げる必要のない補助付き飲用容器は、概して２つの異なる形態をとり得る。トレーニングカップと呼ばれるある特定のタイプは、スパウトを有する蓋を備える液体用の容器を含む。スパウトは、機械的な操作によって、又は使用者が吸うことによって開くことができる液体出口を有する。このようなカップは、幼児がカップを持ち上げて口内にスパウトを位置決めする動きを調整することができるようになって、子供の発育を助けるので、トレーニングカップと一般に呼ばれる。
【０００３】
代替的なタイプのカップでは、蓋を貫通して容器内までストローが延びる。これは、容器を傾ける必要なく容器の中身を摂取することを可能にする。
【０００４】
これら２つの異なるタイプの容器には、使用者の姿勢及び能力に応じた特定の用途がある。
【発明の概要】
【発明が解決しようとする課題】
【０００５】
既知の飲用容器よりも高い機能性を有するか又は少なくとも人々に有用な選択肢を提供する飲用容器を提供することが、本発明の目的である。本発明の代替的な目的は、既知の製品よりも高い機能性を提供するか又は少なくとも人々に有用な選択肢を提供する、飲用容器用の蓋の提供、及び／又は、飲用導管（a drinking conduit）の提供を含む。
【０００６】
上述の従来技術の説明は、共通の一般知識を認めるものとみなすべきではない。
【課題を解決するための手段】
【０００７】
本発明の第１の態様によれば、飲用容器用の蓋部であって、マウスピース部と、マウスピース部に流体接続される導管部であって、液体が通過してマウスピース部へ引き出される遠位開口を有する導管部と、マウスピース部に流体接続される中間入口であって、遠位開口とマウスピース部との中間に配置される中間入口と、容器の向きに応じて中間入口からマウスピース部への流れを制御するように動作可能な流量コントローラとを備える飲用容器用の蓋部が提供される。
【０００８】
本発明の第２の態様によれば、上記蓋部を含む飲用容器が提供される。したがって、本発明の蓋部及び飲用容器は、後述するオプションの特徴のいずれかを含み得る。
【０００９】
好ましくは、容器は、マウスピース部を通して液体を引き出すことを可能にしたまま複数の異なる向きで用いることができる。容器をそのベースの上に着座させた状態では、容器内の液体がベースの方に配置されることになるため、マウスピース部に吸引を加えることによって遠位開口から液体を引き出すことができる。圧搾作用で導管部に液体を押し通すこともできる。適切なのは、導管部及び遠位開口が、容器が事実上空になるまで液体を引き出すことができるようになっているものである。容器は、傾けることもでき、傾けると、流量コントローラが遠位開口の代わりに中間入口から液体が流れるのを可能にするように動作する。
【００１０】
中間入口は、導管部において、好ましくは遠位開口よりもマウスピース部の近くに配置される。代替的に、中間入口は、マウスピース部も組み込むマウスピース部材に形成され得る。本発明のさらに別の形態では、マウスピース部に流体接続される補助導管部が設けられて、中間入口が補助導管部に配置され得る。
【００１１】
導管部は、通常はチューブ又はストローの形態である。遠位開口は、ストローの底部に配置され得る。好ましくは、ストローは、容器の底まで延びる。ストローの底部は、小さな氷粒子を含む飲料のための「スラーピー」ストローとして有効に働くスプーン形の端を有し得る。さらに、ストローは、低い飲料レベルでその機能が最も効果的になるように、特に底部に向かって弧状であり得る。導管部は、製造又は洗浄を容易にするように分離可能な２つ以上の管状部分を備え得る。導管部は、風味付け部も含み得る。ＳＩＰＡＨＨの商品名で販売されている１つの既知の形態の風味付きストローでは、各端にあるプラスチックフィルタによって風味付けビーズが収容されている。
【００１２】
容器、マウスピース部、及び導管部については、様々な構造が可能である。様々な部品を一体に形成又は成形することができる。例えば、容器は、一体形成された側壁、蓋部、及びマウスピース部を含む単一容器であり得る。しかしながら、本発明のより好ましい形態では、容器は、上面に開口を有する収容体部と前記上面開口を閉じる蓋部とを備える。適切には、マウスピース部は、蓋部に組み込まれてこれと一体的である。代替的に、マウスピース部は、蓋部とは別個に形成されてこれに挿入され得る。マウスピース部及び蓋部は、洗浄のために分離可能であり得る。蓋部と収容体部とは、完全に別個であり得る。代替的に、蓋部は、一体型可撓性ヒンジ等のヒンジ接続を用いて接合され得る。
【００１３】
導管部が別個のチューブの形をとる必要はない。導管部は、容器又は収容体部の側壁に一体形成されてもよい。
【００１４】
導管部は、マウスピース部と一体形成され得る。例えば、マウスピース部及び導管部は、マウスピース部が使用者の口に挿入することができる部分としてストローの上端に単に画定されている、単なるストローであり得る。
【００１５】
本発明のこの形態では、ストローの外周部と容器の周囲部との間をシールして、容器が逆さになったときにこれらの間からこぼれるのを防止するために設けられる環状シールがあることが好ましい。
【００１６】
容器は、蓋部を有する収容体の形態であってもよく、ストローは、蓋部を通って突出していてもよい。
【００１７】
上述のような飲用容器は、折り曲げることによってストローを閉鎖することができるようにする折り曲げストローシステムも含み得る。このような折り曲げストローシステムは、折り曲げるか又は回転させることによって閉鎖されるシリコーン又は弾性のマウスピース部を含み得る。
【００１８】
常時露出するストローの一端には、容器の中身が不用意にこぼれるのを防止するためのクロージャが設けられ得る。クロージャは、上記一端又はその一部を覆う単純なキャップの形態であり得る。代替的に、上記一端は、自動閉鎖弁を組み込み得る。この弁は、上記一端と一体であるスリット弁の形態であり得る。このような露出端は、「噛み作動式マウスピース（bite-activated mouthpiece）」と呼ばれる場合がある。代替的に、容器の上端全体にオーバーキャップが設けられ得る。オーバーキャップは、容器の残りの部分とは別個であり得る。代替的に、オーバーキャップは、ヒンジ接続され得る。容器とオーバーキャップとを相互接続するために、一体型プラスチックヒンジが設けられ得る。導管部、マウスピース部、及び蓋部は、一体形成され得るか又は少なくとも単一形態（単品）であり得る。代替的に、導管部は、マウスピース部の下側と噛み合って係合するとともに、マウスピース部から分離可能であり得る。マウスピース部は、導管部の上端を受け入れる凹部を組み込み得る。代替的に、マウスピース部は、導管部の上端を嵌め込むことができる凹部を画定する下垂管状部を組み込み得る。
【００１９】
マウスピース部は、液体出口を含むことが適切であり、不用意にこぼれるのを防止するために自動閉鎖型であることが好ましい。マウスピース部は、機械的作用下で変形可能なスパウトの形態であり得る。このような機械的作用は、スパウトの側壁を押し合わせるようにスパウトの外部を噛むこと又は唇の圧力を加えることを含み得る（噛み作動式マウスピース）。このような機械的作用で、スパウトの液体出口を開かせることが好ましい。本発明の好ましい形態では、スパウトは、吸引のみでは液体出口を開くことができず、液体出口を開くために機械的変形が必要であるようなものである。
【００２０】
導管部がマウスピース部と一体であるかマウスピース部に嵌め込まれるかに関係なく、好ましくは、導管部の上端の場所は、マウスピース部を依然として変形させることができるような場所である。例えば、導管部の上端とマウスピース部の頂部との間に隙間があり得る。
【００２１】
本発明の代替的な形態では、マウスピース部又はスパウトは、変形可能である代わりに実質的に剛性のプラスチックのマウスピース部であり得る。剛性のプラスチックのマウスピース部は、液体出口を組み込み得ると共に、容器を倒したときにマウスピース部から不用意にこぼれるのを防止するために液体出口弁も含み得る。
【００２２】
軟質形態のマウスピース部又はスパウトでは、液体出口は、膜に形成されている１つ又は複数の開口を備え得る。膜は、スパウトの残りの部分とは異なる材料から形成され得ることで、異なる特性を有し得る。膜は、スパウトにオーバーモールドされ得る。好ましくは、膜は、スパウトの残りの部分と同じ材料であるが、スパウトの残りの部分よりも薄い。好ましい形態では、膜は、スパウトの頂部にある平坦な平面構造である。１つ又は複数の開口は、複数のスリットの形態であってもよい。好ましくは、スリットは、変形時に加えられる通常の力方向と揃った長さ寸法を有する。
【００２３】
流量コントローラは、容器の向きに応じて動作する。好ましくは、流量コントローラは、容器をそのベースの上に着座させると中間入口を閉じることで、使用者がマウスピース部に吸引を加えたときに導管部の下端の開口から液体を引き出すことを可能にする。逆に、容器を十分に傾けるか又はひっくり返した向きにすると、流量コントローラが中間入口を開くように動作するため、液体が中間入口からマウスピース部に流れ得る。好ましくは、流量コントローラは、中間入口に配置される弁部材の形態であり得る。
【００２４】
好ましくは、弁部材の位置は、容器の向きに応じて決まる。したがって、弁部材は、重量の作用下で可動であり得る。付加的又は代替的に、弁部材は、容器の向きの変化に応じ得る。より具体的には、弁部材は、容器内の液体流の作用下で移動し得る。例えば、容器を傾けたときにマウスピース部の方に流れる液体の作用が、弁部材を開く役割を果たし得る。したがって、弁部材を弁構成部（arrangement）及び／又は中間入口の少なくとも部分的又は完全に外部に配置することで、弁閉鎖部に容器内の液体による作用を与えることができる。
【００２５】
弁部材は、直立向きで中間入口を閉鎖するように中間入口と協働可能であり得る。好ましくは、弁部材は、容器内の液体よりも重い（比重が１よりも大幅に大きい）。したがって、弁部材は、逆さの位置にあるときに中間入口から離れて移動するように沈む。重い弁部材は、弁座上の着座にも役立つ。中間入口及び弁部材の配置は、このようにして適宜整えられ得る。代替的に、弁部材は、容器内の液体よりも軽くてもよい。すなわち、弁部材は、フロートとして働いてもよい。この場合、好ましくは、フロートは、逆さの位置にあるときに入口から離れて移動する。フロート及び中間入口の配置は、適宜設計され得る。
【００２６】
弁部材を開放位置に当接させるための上停止部が設けられ得る。これは、導管部に設けられ得る。
【００２７】
中間入口は、導管部の主要部を囲む湾曲状又は実質的に環状の開口の形態をとり得る。弧状又はリング状に配列されている複数の中間入口があってもよい。弁部材に適した形態は、このように湾曲状又はリング形であると考えられる。代替的な構成では、中間入口は、主要部からの分岐部の端に形成されてもよく、その場合、弁部材は、中間入口に着座するフラップの形態をとり得る。弁部材は、導管部から分離可能であり得る。弁部材は、導管部とは別個に形成されて互いに組み立てられ得る。本発明の一形態では、弁部材は、主要部の周りに位置しており蓋の開口内に嵌め込まれてシールを提供する役割も二重に果たすリングを含む、弁構成要素に組み込まれ得る。弁構成要素は、ばね記憶特性を利用して着座（シール）位置に戻るのを助けるように構成されるエラストマー材料から一体形成され得る。
【００２８】
特に上述のフラップの形態の弁部材は、代わりに、マウスピース部、導管部、蓋部、又は収容体部を含む容器の構成要素のいずれかと一体形成されてもよい。
【００２９】
液体が取り出されるときに容器に空気を入れることを可能にするために、空気入口又は「呼吸弁」が設けられ得る。好ましくは、空気入口は、不用意にこぼれるのを防止するために自動閉鎖型である。空気入口は、蓋部に組み込まれ得る。好ましくは、空気入口は、マウスピース部又はスパウトの一部として一体成形され得る。空気入口は、膜に形成されている１つ又は複数の開口を有する弁を備え得る。膜は、マウスピース部又はスパウトの周囲の材料よりも薄いだけでもよい。空気入口は、スパウトの側壁の付け根に配置され得る。
【００３０】
好ましい構成では、マウスピース部／スパウト、空気入口、及び液体出口は全て、弾性材料でできている供給部に一体成形される。スパウトの変形が、空気入口及び液体出口の両方を開放させ得る。供給部は、より硬質の材料でできている周囲部にオーバーモールドされて、合わせて蓋部を形成し得る。より硬質の周囲部には、収容体部に固定するための係合手段、例えば相互に協働可能なねじ又はスナップ嵌めが設けられることが適当である。
【００３１】
好ましくは、マウスピース部又はスパウトは、容器の上部の前方位置に配置され、収容体部は、ベースと、水平面上で収容体部をそのベースの上に着座させたときに前方に傾く収容壁とを有する。
【００３２】
スパウトは、上部からの管状突起の形態をとり得る。管状突起は、その上端が前方に延びるような角度であり得る。
【００３３】
飲用容器には、収容体部の傾斜角度と実質的に一致する角度にあるハンドル部が設けられ得る。角度付きのスパウト、収容体部、及びハンドル部の組み合わせが、幼児がハンドルを把持して自身の口内に容器を向けるように容器を傾ける動作を調整するのを助ける。
【００３４】
傾斜している収容体部を着座させるために、ベース部が設けられ得る。ベース部は、傾斜している収容体部から分離可能であり得る。代替的に、ベース部及び収容体部は、一体形成され得る。本発明の最も好ましい形態では、収容体部及びベース部は、中身が見えるように収容体部を透明にして異なる材料で作られる。
【００３５】
本発明の第３の態様によれば、直立向き及びひっくり返した向きで用いるための飲用容器であって、マウスピース部と、マウスピース部に流体接続される導管部であって、容器が実質的に直立向きであるときに、液体が通ってマウスピース部へ引き出され得る下端開口を有する導管部と、マウスピース部に流体接続される中間入口であって、下端開口及びマウスピース部の中間に配置される中間入口と、容器の向きに応じて、中間入口からマウスピース部への流れを制御するように動作可能な流量コントローラとを備える飲用容器が提供される。
【００３６】
本発明の第４の態様によれば、液体の吸い上げ用の第１の端と、マウスピースとしての役割を果たす第２の端とを含む２つの端を有する飲用導管であって、第１の端及び第２の端の中間に配置される中間入口、及び導管の向きに従って中間入口から第２の端への流れを制御するように動作可能な流量コントローラも設けられる飲用導管が提供される。
【００３７】
飲用導管は、上述の第１及び第２の態様の導管部に関して説明した特徴のいずれかを有し得る。
【００３８】
飲用導管は、蓋部のない単一容器で用いられてもよい。例えば、容器は、包装済み飲料等のパッケージの形態であり得る。このような製品では、ストローがパッケージの外部に設けられて、パッケージがストローの挿入用の脆弱開口を有し得る。
【００３９】
包装済み飲料の場合、ストローは、代わりに開封前から容器内にあって、開封時に容器外の露出端を提供するように伸長可能であってもよい。
【００４０】
本明細書に開示及び定義する本発明は、本文又は図面から述べられるか又は明らかである個々の特徴の２つ以上の代替的な全組み合わせに及ぶことが理解されるであろう。これら種々の組み合わせの全てが、本発明の様々な代替的な態様を構成する。
【００４１】
本明細書で用いる「備える」という用語（又はその文法上の変形）は、「含む」という用語と同等であり、他の要素又は特徴の存在を除外するものとみなすべきではないことも理解されるであろう。
【００４２】
本発明をより十分に理解することができるように、次に図を参照していくつかの実施形態を一例として説明する。
【図面の簡単な説明】
【００４３】
【図１】本発明の好ましい実施形態によるトレーニングカップの側面図である。
【図２】図１のトレーニングカップの背面図である。
【図３】図２のＡ−Ａを通るトレーニングカップの断面図である。
【図４】トレーニングカップの蓋部の上面斜視図である。
【図５】分解形態で導管部と共に示す図４の蓋部の底面斜視図である。
【図６】直立向きの図３のトレーニングカップの概略断面図である。
【図７】逆さ向きであることを除いて図６に対応する概略図である。
【図８Ａ】図６のトレーニングカップの一部を形成する導管部の分解図である。
【図８Ｂ】図８Ａに示す導管部の縦断面図である。
【図８Ｃ】第１の代替的な導管部の分解図である。
【図８Ｄ】第２の代替的な導管部の組み立て側面図である。
【図８Ｅ】図８Ｄに示す第２の代替的な導管部の分解側面図である。
【図８Ｆ】図８Ｄの第２の代替的な導管部と組み立てられた蓋を示す底面斜視図である。
【図９】図６のトレーニングカップの一部を形成するマウスピース又はスパウトの詳細図である。
【図１０】本発明の第２の好ましい実施形態によるトレーニングカップの概略断面図である。
【図１１】図１０のトレーニングカップの一部を形成する導管部の詳細図である。
【図１２】図１１の導管部の断面形状を示す。
【図１３】製造ステップを示す図１１の導管部の細部である。
【図１４】図１０に示すカップの一部を形成する蓋部の断面図である。
【図１５】図１４に示す蓋部の底面斜視図である。
【図１６】カップを逆さ位置で示していることを除いて図１０に対応する部分断面図である。
【図１７】図１４に示す蓋部の一部を形成する供給部の詳細図である。
【図１８】直立構成で配置されている導管部の別の実施形態の概略断面図である。
【図１９】ひっくり返した構成で示すことを除いて図１８と同様の図である。
【図２０】図１８の導管部の分解斜視図である。
【図２１】本発明による飲用容器の別の実施形態の一部断面図である。
【図２２】本発明による飲用容器の別の実施形態の一部断面図である。
【図２３】本発明による飲用容器のさらに別の実施形態を示す一部断面図である。
【図２４】本発明による飲用容器のさらなる実施形態である。
【図２５】本発明による飲用容器のさらにまた別の実施形態である。
【図２６】本発明による飲用容器のさらに別の実施形態である。
【図２７】本発明による哺乳瓶の一部断面図である。
【発明を実施するための形態】
【００４４】
図１に示すように、トレーニングカップ１０は、カバー部１２と、ベース部１６によって支持される収容体部１４とを含む。図３で最も明確に見ることができるように、カバー部１２は、蓋部１８の上を覆って延びる。
【００４５】
蓋部１８は、周辺フランジ部２４によって囲まれる供給部１７を含む。
【００４６】
蓋部１８の供給部１７は、ゴム又は熱可塑性エラストマー等の比較的可撓性の材料製である。供給部１７は、マウスピース（又はスパウト）２０を組み込むとともに、蓋部１８の上面のスパウト２０の後方、実質的にその付け根に設けられる空気入口２２を囲んでいる。周辺フランジ部２４は、蓋部１８を収容体部１４に取り付け固定することができるように供給部１７よりも可撓性の低い材料製である。したがって、周辺フランジ部２４には、収容体部１４に設けられている雄ねじ山２８と互いに補足し合う雌ねじ山２６が設けられる。供給部１７及び周辺フランジ部２４は、単一の蓋部１８を形成するようにオーバーモールドプロセスで一体化され得る。図３から、供給部１７の外周１９が周辺フランジ部２４の内周２３の上に重なることが分かり得る。空気入口２２は、これらの重なった部分１９、２３に隣接して内周２３よりも内方に配置される。
【００４７】
オーバーモールドプロセスでは、２つ異なるタイプのプラスチック材料を別個のバレルすなわちツインバレルから射出することによって、２つの部品を合わせて成形することができる。代替的に、インサート成形とも呼ばれるプロセスで、或る部品を金型に挿入して別の部品をその周りで成形してもよい。したがって、可撓性の供給部１７が予備成形されてから金型に挿入されることで、周辺フランジ部２４を供給部１７の周りで成形することが可能になり得る。代替的に、周辺フランジ部２４を最初に成形して、可撓性の供給部１７を周辺フランジ部２４に成形してもよい。
【００４８】
カバー部１２が蓋部１８の外部形状と概ね相補的な形状を有することが分かり得る。カバー部１２は、単に摩擦嵌めによって蓋部１８に固定され得る。カバー部１２には、取り外しを補助するために後方突出タブ３０が設けられる。
【００４９】
図３に示すように、収容体部１４は、ベース部１６に受け入れられる。収容体部１４の下部の外周は、ベース部１６の内周と相補的である。特に、収容体部１４は、ベース部１６に設けられている環状溝３４と噛み合う外部突出環状リブ３２を有し得る。収容体部１４及びベース部１６は、成形プロセスで一体化されてもよい。代替的に、これらは、個別に洗浄することができるように分離可能であってもよい。ベース部１６は、トレーニングカップ１０が置かれる表面をしっかり捕えるようにするために、収容体部１４よりも可撓性の高いプラスチック材料から成形され得る。ベース部１６は、蓋部１８の供給部１７と同じ材料製であり得る。ベース部１６及び収容体部１４は、オーバーモールドプロセスによって一体化されても互いに接着されてもよい。
【００５０】
図２は、トレーニングカップ１０の後面図である。収容体部１４は、外側から中身が見えるように透明であり得る。収容体部１４を形成する壁の後部３６には、液体の容量を容易に確かめることができるようにレベル標示が設けられる。ハンドル４０が、収容体部１４の壁の両側に一体成形される。
【００５１】
図３を考慮すると、蓋部１８の前方部分は、先端が手前にくるように傾いたスパウト２０を含むことが分かり得る。このとき、収容体部１４は、収容体部１４の壁の前部及び後部が前方に傾くような形状になる。換言すれば、収容体部１４は、長手方向中心軸を有する円筒壁を有する。水平面上においてトレーニングカップ１０をそのベース部１６の上に着座させると、長手方向中心軸は、真の鉛直線に対して傾斜角度（鋭角）で延びる。さらに、ハンドル４０も、長手方向中心軸に対して同じか又は同様の向きに傾いている。この傾きは、子供がスパウトを自身の唇の方に向けるのを助けると共に、ハンドル４０を把持し、トレーニングカップ１０を持ち上げて傾け、子供の口内にスパウト２０を挿入する際の調整を助ける。スパウト２０は、長手方向中心軸に対して同じか又は同様の角度で配置され得る。
【００５２】
図４に示すように、スパウト２０の上端には、平坦な平面状の膜４４が設けられる。膜４４は、供給部１７の残りの部分よりも薄く、したがって可撓性がより高い。膜４４は、液体出口を提供するスリット４６を含む。通常、スリット４６の対向壁が互いに当接して液体シールを提供する。しかしながら、スリット４６の両端におけるスパウトの側壁が子供の口内で押し合わせられると、スリット４６が開くことによって液体出口が提供される。
【００５３】
空気入口２２は、同様のタイプの自動閉鎖スリット弁からなる。膜４４と同様の方法で、周囲の供給部１７よりも薄く、したがって可撓性がより高い空気弁膜５０が設けられる。空気弁膜５０は、スリット４６の長さ方向を横断する向きの長さ方向を有するスリット５１を有する。
【００５４】
図５を参照すると、スパウト２０が図３に示すように導管部５４を収納する凹部５２を組み込むことが分かり得る。導管部５４は、第１の下端５６を有する第１の下部５７及び第２の上端５８を有する第２の上部５９を有する、２部構成のストロー又はチューブの形態である。第２の上端５８は、凹部５２に収納される。ストローの２つの部分５７、５９は、弁部材６４と共に各々が蓋部１８から分離可能であってもよく、組立体全体が蓋部１８から分離可能であってもよい。これは、特に乳飲料及び果肉汁に関する洗浄を容易にする。導管部５４の上端５８は、凹部５２の頂部までは延びない（概略図６に示す通り）。これは、導管部５４が入っていない上領域６０を提供するため、液体出口弁４６を開くためにスパウト２０が依然として機械的に変形することができる。凹部５２は、下垂円筒壁６２によって画定され得る。導管部５４は、凹部５２に取り外し可能に収納され得る。これは、導管部５４を個別洗浄のために取り外すことを可能にする。代替的に、導管部５４は、スパウト２０に添装又は一体成形してもよい。好ましくは、導管部５４は、洗浄しやすいようにより大きな内口径を有する。
【００５５】
図６は、導管部５４が弧状であり得ると共に第１の下端５６がトレーニングカップ１０の前方に延びることを示す。これにより、導管部５４の下端５６を通して液体を依然として引き出すことができるようにするためのカップが向けられ得る飲用角度の範囲が最大化する。
【００５６】
図８Ａ及び図８Ｂは、流量制御弁部材６４と共に導管部材５４をより詳細に示す。導管部５４は、第２の上部５９が第１の下端５６と第２の上端５８との間に弁座６６を有する２部構成のブロー成形ストローを備える。弁座６６は、第２の上端５８から導管部５４の長さに沿って約１／４のところに配置される。弁座６６の面のうち弁部材６４が着座する側である上側の面には、１つの中間入口６８（又は複数の中間入口）が設けられる。図６に概略的に示すトレーニングカップ１０が着座した向きでは、環状の弁部材６４によって中間入口６８が閉鎖される。環状の弁部材６４は、比重が水よりも大幅に大きく、成形アセタールでできていることが好ましい。弁部材６４の下側は、弁部材６４を弁座６６に着座させると中間入口６８を閉鎖するように弁座６６の上面に対応する形状である（図３に示す通り）。
【００５７】
したがって、トレーニングカップ１０が図６に示す着座位置に向けられると、弁部材６４は、重力によって弁座６６に着座するようになる。カップ内に液体が入っている場合、使用者がスパウト２０に吸引を加えると、これが弁部材６４を中間入口６８に対してさらに引き寄せて閉じることにより、真空シールを作り出して導管部５４の下端５６を通して液体を引き出すことを可能にする傾向がある。したがって、この向きでは、導管部５４が通常のストローとしての機能を果たす。
【００５８】
しかしながら、図７を参照すると、トレーニングカップ１０を逆さにした場合、弁部材６４は、重力の作用下で沈んで導管部５４の第２の上端５８の方に移動することにより、中間入口６８を開く傾向がある。カップ内でカップの底からマウスピースの方へ流れる液体の作用は、弁部材６４を外すことにより真空シール又は表面張力シールを破る役割も果たす。したがって、中間入口６８が開いた状態では、液体は、中間入口６８を通って流れることになり、使用者がスパウト２０に吸引及び軽い機械的圧力を加えることによってスパウト２０から引き出され得る。図６及び図７の作用の両方で、スパウトの機械的変形が空気入口２２の開放をもたらす。
【００５９】
図３を考慮すると、中間入口６８が容器の前側に向かって開いていることが分かり得る。したがって、この容器は、飲用容器を前方／後方平面に対して垂直な水平軸を中心に回転させるときに最も有効に機能する。このように回転させると、中間入口６８は、飲用容器に収容されている液体に浸漬する。これにより、浸漬していない入口を通した空気の取り込みが回避されるため、最適な液体流が得られる。したがって、この飲用容器は、上記の方向に傾けることによって最適に用いられる。
【００６０】
図６の直立向きで重力が環状の弁部材６４をその弁座６６に対してシールするのを補助するように、弁部材６４は、１．０よりも大幅に大きい比重を有することが好ましい。
【００６１】
同様に、傾いた向き又はひっくり返した向きで飲用容器を用いる場合、弁部材６４は、その一部又は全体が浸漬しているか又は浸漬することになる液体よりも大幅に重いため、その比重が開放動作の助けとなる。大きな比重は、弁部材６４とその弁座６６との間にある液体によって作り出される表面張力シールを破るのにも役立ち得る。
【００６２】
図８Ａに示すように、導管部５４の上端５８は、中間入口６８を前向きにした向きに導管部５４を向けるために、スパウト２０に相補的な凹部５２が設けられているＤ形断面等の非円形であり得る。
【００６３】
さらに、弁部材６４が弁座部６６の外周よりも外側に延びることが図８Ｂで見ることができる。したがって、飲用容器を逆さにすると、液体流が弁部材６４に対して作用して、弁部材６４とその弁座６６との間の真空シール又は表面張力シールを破るのを助けることができる。
【００６４】
好ましくは、容器１０、導管部５４、及び関連の弁部材６４は、食器洗浄機で洗える食品等級材料、例えば適当なプラスチック、金属、セラミック製である。使用材料は、温かい飲料及び冷たい飲料に適していることも好ましい。
【００６５】
導管部の第１の代替的な実施形態５４’を図８Ｃに示す。これは、多くの点で同様であるため、部品を新たな実施形態に適合させた場所を示すためにプライム記号（’）を加えて、同じ符号で同じ部品を示す。弁座６６’には、複数の弧状の中間入口６８’が設けられる。さらに、上端５８’は、導管部５４’がいかなる向きでもスパウト２０と組み立てられ得るように円形である。この実施形態では、飲用容器は、いかなる向きに傾けてもよく、中間入口６８’の一部又は全部を通して流れが生じる。
【００６６】
図８Ｄ〜図８Ｆは、導管部の第２の代替的な実施形態５４’’を示す。この導管部５４’’は、先の２つの実施形態と多くの点で同様であるため、部品を新たな実施形態に適合させた場所を示すためにプライム記号（’）を加えることを除いて、同じ符号で同じ部品を示す。
【００６７】
先の実施形態のように、導管部５４’’は、下部５７’’及び上部５９’’を有する２部品構成のストロー又はチューブの形態である。上部５９’’及び下部５７’’は、個別洗浄のために分離可能である。上部５９’’には、円錐台形の形態の上面を有する弁座６６’’が設けられる。弁座６６’’の上面には、複数の等間隔に離間して円周方向に配列されている中間入口６８’’が設けられる。中間入口６８’’は、上部５９’’内で導管と連通する。
【００６８】
弁部材６４’’は、弁座６６’’の上面に着座することにより中間入口６８’’を閉じることができるように、弁座６６’’の形状と相補的な下面を有する円錐台形シェルの形態である。
【００６９】
上部５９’’は、上部５９’’の外面上に円形リブの形態の上停止部６７も含む。上停止部６７は、弁部材６４’’が上部５９’’から分離されて紛失することがなくなるように、弁部材６４’’の移動の上限を画定する。
【００７０】
上部５９’’は、ボスの形態の把持部６９も含む。図８Ｆに示すように、把持部６９は、スパウト２０に対して導管部５４’’を挿抜しやすくする。
【００７１】
図９は、スパウト２０を組み込み且つ空気入口２２を囲む供給部１７のより詳細な図である。スパウト２０は、使用者の唇の位置を案内するための唇座（lip seat）７０を画定する。使用者がこの場所に軽い機械的圧力を加えると、スパウト２０の上端が変形して液体出口弁４６が開く。液体出口弁４６は、スパウト２０の上端を変形させると空気入口２２も開くように、内部リブ４７（図５を参照）によって空気入口２２に連結され得る。しかしながら、半剛性及び可撓性のボトル／容器は空気入口２２なしで最も有効に機能するため（変形したボトルが空気を吸い込んで圧力を均一にするため）、空気入口２２はオプションである。剛性のボトル及び容器は、真空を解除するのに十分なほど素早く空気が入れないため、空気入口２２を有して最も有効に機能する。
【００７２】
図１０〜図１７は、幼児用カップの第２の実施形態１０’を示す。カップ１０’の形態は、図１〜図９に示すトレーニングカップと多くの点で同様である。したがって、同じ参照符号を用いて同じ部品を示す。新たな実施形態に適合するように部品に変更を加えた場所では、プライム記号（’）を付けた同じ番号で上記部品を示す。
【００７３】
図１０を参照すると、この実施形態のスパウト２０’は、多少変更されている。第１に、スパウト２０’はこの場合、可撓性の後部７２及び剛性の前部７４を含む。これは、スパウト２０’の変形が後部７２で行われることで、先の実施形態のようにスパウト２０’の変形時に空気入口２２が確実に開放されることを確実にする。第２に、この実施形態では、弁部材６４’は供給部１７’と一体成形され、これは図１４及び図１５で最も明確に見ることができる。
【００７４】
図１１を参照すると、導管部５４’の形態は、弁座６６’がその中心軸を主要導管の中心軸と一致させて配置されないように変更されている。代わりに、球根状部の形態の弁座６６’が、主要導管から延びる枝のように形成される。弁座６６’の上端には、中間入口６８’が形成される。図１３は、弁座６６’の頂部が未処理のままブロー成形によって導管部５４’が形成され得る様子を示す。後続のステップで、弁座６６’の頂部は中間入口６８’を形成するように切り取られる。
【００７５】
導管部５４’は、スパウト２０’内に画定されている凹部５２’内に取り外し可能に収納される。導管部５４’の上端５８’及び凹部５２’は、導管部５４’が正しい向きでスパウト２０’に挿入されることを確実にするように非円形の相補的な断面を有し得る。図１２は、この目的に適したＤ形断面を示す。さらに、図１７に示す唇座７０は、導管部５４’の上端５８’用の座を提供するように対応した形状の内部座を有し得る。
【００７６】
図１０を参照すると、導管部５４’が正しい向きでスパウト２０’に挿入されると、弁部材６４’は、中間入口６８’を覆うように下垂向きから曲げられる。これにより、中間入口６８’が閉鎖され、第１の下端５６’からスパウト２０’へ液体を引き出すことが可能になる。
【００７７】
他方、図１６に示すようにトレーニングカップ１０’を逆さにすると、弁部材６４’は、重力の作用下及び液体がスパウト２０’の方に流れるときの液体の付勢下で沈む傾向がある。吸引と組み合わせてスパウト２０’に軽い機械的圧力を加えることによって、使用者は、液体出口４６を開いて中間入口６８’を通して液体を引き出すことができる。本発明は、こうして、トレーニングカップ１０’を種々の向きの範囲で用いることを可能にする。
【００７８】
確実に、フラップ弁部材６４’は、スパウト２０’と共にエラストマー材料製である。フラップ弁部材６４’は、この材料のばね記憶特性を利用して、弁部材６４’を直立向きでシール位置に戻るように付勢することによって弁動作を助ける。
【００７９】
図１８は、図１０に示す実施形態のように弁部材として機能するフラップ弁部材８２を有する、導管部の代替的な形態８０を示す。導管部８０は、第１の下部８４及び第２の上部８６を備える。下部８４は、先の実施形態の通りに直立向きで液体が通って導管部８０へ引き込まれ得る第１の下端８８を有する。第２の上部８６は、先の実施形態の通りに凹部５２に挿入される上端９０を有する。
【００８０】
図１１の実施形態のように、第２の上部８６は、中間入口９４を形成するように主要導管から延びる分岐部９２として形成され得る。図２０で見ることができるように、第２の上部８６には、分岐部９２の上に位置付けリブ９６も設けられる。位置付けリブ９６は、フラップ弁部材８２を組み込む一体弁構成要素１００の一部を形成する環９８を位置付ける役割を果たす。一体弁構成要素１００は、位置付けリブ９６の上に嵌まることを可能にするためにゴム等のエラストマー材料製であり得る。フラップ弁部材８２には、重りとしての機能を果たすために球根状の下縁１０２が設けられ得る。したがって、導管部８０を図１９に示すようなひっくり返った構成にすると、重り付の下縁１０２がフラップ弁部材８２の開放を補助するようになる。図２０に示すように、下部８４、上部８６、及び弁構成要素１００は、洗浄のために分離可能であり得る。
【００８１】
図２１〜図２７に示す以下の実施形態は、図１〜図９のタイプの環状の弁部材６４か、又は図１０〜図２０のタイプのフラップ式弁を用いる、様々な異なるタイプのボトルを示す。各容器タイプを、環状弁タイプ又はフラップ弁タイプで用いることができる。さらに、弁は、より大きな容量の用途に適するように拡大することもできる。
【００８２】
図２１は、図６に示す導管部５４を組み込む「ポップトップ式の」使い捨て又は再使用可能飲料ボトル１０５を示す。飲料ボトルは、ボトルの頂部とねじ係合するねじクロージャ１０６を有する。ねじクロージャ１０６は、ポップアップクロージャ１０８を組み込んでおり、その形態は当業者によく知られている。ポップアップクロージャ１０８が下降構成にあるときには、ボトル１０５が閉じている。使用者がボトルから飲みたいときには、ポップアップクロージャ１０８を引き上げる。ポップアップクロージャ１０８を吸うことによって、使用者は、導管部５４の下端５６を通して液体を引き出すことができる。他の実施形態のように、ユーザは、続いてボトル１０５を逆さにした場合、中間入口６８を通して液体を引き出すことができる。ボトルは、スクイーズボトルとしての機能を果たすこともできる。ユーザがボトル１０５の側壁を握ると、これがボトルから中身を絞り出す助けとなる。
【００８３】
図２２は、図６に示す導管部５４を組み込む別の飲料ボトルを示す。この飲料ボトル１１０には、先の実施形態のように上端にねじクロージャ１１２が設けられる。このねじクロージャ１１２は、ボトル１１０の上端とねじ係合する。ねじクロージャ１１２は、閉じるとクロージャ１１２の外部輪郭に一致する枢動可能なフラップ１１４を含む。図示のように、フラップ１１４は、開くと可撓性のマウスピース部１１６を露出させる。可撓性のマウスピース部１１６は、導管部５４と流体連通している。可撓性のマウスピース部１１６は、フラップ１１４を閉じるときに曲がってねじクロージャ１１２内に封入されることができる。可撓性のマウスピース部１１６が曲げられると、可撓性のマウスピース部１１６のキンクによってシールが作り出される。このボトル１１０は、スクイーズボトルとしての機能を果たすこともできる。
【００８４】
図２３は、スナップ嵌め式の蓋部１２０を有し、図１８〜図２０に示すような導管部８０を組み込む持ち帰り用カップ１１８を示す。一体弁構成要素１００の弾性の環９８が、蓋部１２０に形成されている開口１２２とのシールを提供するためのグロメットとしての機能を果たす。さらに、導管部８０は、第２の上部８６内に収納されるマウスピース１２４を用いる。マウスピース１２４は、弾性材料から形成され得る。
【００８５】
図２４は、蓋部１２８を有する断熱マグ１２６であることを除いて、図２３の使い捨てカップ１１８と多くの点で同様である。導管部８０は、先の実施形態と同じ方法で蓋部１２８内に収納される。
【００８６】
図２１〜図２４の容器が図１〜図１７のスリット４６のような出口弁を有しないことが理解されるであろう。代わりに、導管部は、通常の使用時には本質的に開放されている。したがって、吸うことをやめると空気が容器に容易に入ることができるため、先の実施形態（図１〜図１７）の空気入口２２等の入口弁は必要ない。
【００８７】
図２５は、断熱マグ１２６の代替的な形態を示す。この実施形態では、蓋部１３０に一体的なスパウト１３２が形成される。スパウト１３２の下側は、円筒形凹部１３３を画定する。蓋部１３０は、スパウト１３２の前部から下垂する一体的なフラップ弁部材１３５も含む。
【００８８】
この実施形態では、代わりにフラップ弁部材１３５が蓋部１３０と一体であるため弁構成要素１００が省かれるという点で、導管部８０’は先の実施形態とは異なる形態をとる。導管部８０’は、下端８８を有する第１の下部８４と、上端９０を有する第２の上部８６’とを含む。上端９０は、スパウト１３２の円筒形凹部１３３内に収納される。
【００８９】
スパウト１３２の上端には、自動閉鎖スリット弁１３８が設けられる。自動閉鎖スリット弁は、スパウト１３２の頂部にある平面膜１３４の形態である。平面膜１３４にはスリット１３６が設けられ、その側壁は、通常はスパウトをシールするように当接関係であるが、スパウト１３２の側壁に軽い機械的圧力を加えることで開くことができる。図示されていないが、この実施形態は、液体が抜き取られているときにマグ１２６に空気が入るのを許す空気弁も含み得る。図２２〜図２４の先の実施形態に勝るこの構成の利点は、マグ１２６を不用意に倒したときに弁１３８が自動的に閉じることでこぼれるのを防止することである。
【００９０】
平面膜１３４は、均質な成形体としてスパウト１３２と一体形成され得る。代替的に、平面膜１３４は、スパウト１３２にオーバーモールドされてもよい。好ましくは、蓋部１３０は、熱可塑性エラストマー製である。
【００９１】
図２６は、図２５の先の実施形態と多くの点で同様である飲用容器の代替形態１４０を示す。この実施形態では、蓋部１３０’は、周囲部１４２の中央に一体成形される熱可塑性エラストマーから形成されるスパウト１３２’を有し、周囲部１４２は、スパウト１３２’よりも剛性の材料である。スパウト１３２’に周囲部１４２がオーバーモールドされて、蓋部１３０’が形成され得る。スパウト１３２’には、平面膜１３４’の形状が楕円形であることを除いて先の実施形態と同様の形態の自動閉鎖スリット弁１３８’が設けられる。容器１４０が剛性である場合、空気弁（図示せず）も設けられ得る。
【００９２】
図２７は、哺乳瓶の技術分野で既知のように、ボトル部１５２、クロージャ部１５４、及び可撓性乳首部１５６を有する哺乳瓶１５０を示す。哺乳瓶１５０は、図６及び図２２の導管部５４と多くの点で同様の導管部５４’’用の座を提供するインサート１５８も含む。導管部５４’’は、第１の下端１６４を有する第１の下部１６２及び第１の下部１６２を収納する第２の上部１６６を有する。第２の上部１６６は、中間入口６８を提供する弁座６６を含む。弁が閉鎖位置にあるとき、弁部材６４は弁座６６上にある。第２の上部１６６は、インサート１５８に対して導管部５４’’を位置付ける２つの長手方向に離間した位置付けリング１６０を含むため、図２２に示すものとは異なる。
【００９３】
したがって、哺乳瓶は、導管部５４’’の下端１６４を通して液体を引き出すことができるように乳首部１５６を吸うことによって直立構成で用いることができる。代替的に、哺乳瓶１５０は、先の実施形態で説明したように中間入口６８を通して液体が入るように逆さにすることができる。
【００９４】
さらに、液体が抜き取られるときに空気が入ることを可能にするために、空気入口弁が設けられ得る。空気入口弁は、乳首部１５６の液体出口スリット（図示せず）とは別個であり得る。代替的に、空気は、乳首部１５６に設けられている出口スリットを通して入ってもよい。
【００９５】
上述のものは、本発明の一実施形態のみを説明しており、本発明の範囲から逸脱せずに変更を加えることができる。例えば、導管部５４は、既存のスポーツボトル又は他のタイプの使い捨て飲料ボトルに後付けされるようになっていてもよい。代替的に、現在の設計の導管部５４を既知の飲料ボトルに嵌めるために、アダプタが設けられてもよい。
【図１】
2010521388.tif 000003
【図２】
2010521388.tif 000004
【図３】
2010521388.tif 000005
【図４】
2010521388.tif 000006
【図５】
2010521388.tif 000007
【図６】
2010521388.tif 000008
【図７】
2010521388.tif 000009
【図８Ａ】
2010521388.tif 000010
【図８Ｂ】
2010521388.tif 000011
【図８Ｃ】
2010521388.tif 000012
【図８Ｄ】
2010521388.tif 000013
【図８Ｅ】
2010521388.tif 000014
【図８Ｆ】
2010521388.tif 000015
【図９】
2010521388.tif 000016
【図１０】
2010521388.tif 000017
【図１１】
2010521388.tif 000018
【図１２】
2010521388.tif 000019
【図１３】
2010521388.tif 000020
【図１４】
2010521388.tif 000021
【図１５】
2010521388.tif 000022
【図１６】
2010521388.tif 000023
【図１７】
2010521388.tif 000024
【図１８】
2010521388.tif 000025
【図１９】
2010521388.tif 000026
【図２０】
2010521388.tif 000027
【図２１】
2010521388.tif 000028
【図２２】
2010521388.tif 000029
【図２３】
2010521388.tif 000030
【図２４】
2010521388.tif 000031
【図２５】
2010521388.tif 000032
【図２６】
2010521388.tif 000033
【図２７】
2010521388.tif 000034
【国際調査報告】
2010521388.tif 000035
2010521388.tif 000036
2010521388.tif 000037